(57)【要約】本発明は、ウインドウワイパ装置のワイパアームに設けられるワイパブレードのための接続装置であって、ワイパブレードが、ワイパ条片を有するばね弾性的な支持エレメントから形成されており、前記接続装置に、支持エレメントの外縁に固定された保持装置と、ワイパブレードの長手方向延びに対して横方向に前記保持装置に配置された接続ピンとが設けられている形式のものに関する。本発明は、このような接続装置において摩耗にさらされる部材がワイパブレードに配置されているものを形成するという課題を解決している。このためには、接続ピン（８，４２，５３）に、アダプタブラケット（９，２１，２６，３０，３７，４３，４８，５４，６０；３０３，３１６）が枢着されており、該アダプタブラケットに、アダプタブラケットに適合された、ワイパアーム（２；３０２）のエンドピース（１９，２２，２４，２７，３６，３９，４４，５２，５５，６２；３０３，３１６）が、係止結合又はラッチを介して解除可能に結合可能であり、ワイパブレード（１）が組み付けられた状態で堅固に結合されており、前記アダプタブラケット（９，２１，２６，３０，３７，４３，４８，５４，６０；３０６，３１４）が、次のように形成されている、すなわち、接続ピン（８，４２，５３；）、ひいてはワイパブレード（１；３０５）も、車両ウインドウの湾曲に基づいた、アダプタブラケット（９，２１，２６，３０，３７，４３，４８，５４，６０；３０６，３１４）に対して所定の揺動運動を行うことができるように形成されている。
2006525903.tif 000002
【特許請求の範囲】
【請求項１】
ウインドウワイパ装置のワイパアームに設けられるワイパブレードのための接続装置であって、ワイパブレードが、ワイパ条片を有するばね弾性的な支持エレメントから形成されており、前記接続装置に、支持エレメントの外縁に固定された保持装置と、ワイパブレードの長手方向延びに対して横方向に前記保持装置に配置された接続ピンとが設けられている形式のものにおいて、接続ピン（８，４２，５３）に、アダプタブラケット（９，２１，２６，３０，３７，４３，４８，５４，２４，３６，５２，５５，６２；３０３，３１６）が枢着されており、該アダプタブラケットに、該アダプタブラケットに適合された、ワイパアーム（２；３０２）のエンドピース（１９，２２，２４，２７，３６，３９，４４，５２，５５，６２；３０３，３１６）が、係止結合又はラッチを介して解除可能に結合可能であり、組み付けられた状態で堅固に結合されており、前記アダプタブラケット（９，２１，２６，３０，３７，４３，４８，５４，６０；３０６，３１４）が、次のように形成されている、すなわち、接続ピン（８，４２，５３；）、ひいてはワイパブレード（１；３０５）も、車両ウインドウの湾曲に基づいた、アダプタブラケット（９，２１，２６，３０，３７，４３，４８，５４，６０；３０６，３１４）に対して所定の揺動運動を行うことができるように形成されていることを特徴とする、ウインドウワイパ装置のワイパアームに設けられるワイパブレードのための接続装置。
【請求項２】
アダプタブラケット（９，２１，２６，３０，３７，４３，４８，５４，６０）が、フード状の、保持装置（７，５８）を取り囲む、形状安定性の材料から成る鋳込み部材であり、該鋳込み部材に、接続ピン（８，４２，５３）のための軸受（１０，４５，５６）が形成されている、請求項１記載の接続装置。
【請求項３】
軸受（１０，４５，５６）が、係止収容部の形で形成されており、該係止収容部にそれぞれ１つの挿入スリット（１１，４６，５７）が設けられており、該挿入スリット（１１，４６，５７）が、アダプタブラケット（９，２１，２６，３０，３７，４３，４８，５４，６０）の、ワイパブレード（１）に向いた側に挿入開口を有している、請求項２記載の接続装置。
【請求項４】
ワイパアーム（２）のエンドピース（１９，２２，２４，３６，３７，４３，４８，５４，６０）が、アダプタブラケット（９，２１，２６，３０，３７，４３，４８，５４，６０）を形状接続的に、又はほぼ形状接続的に上から係合している、請求項１又は２記載の接続装置。
【請求項５】
アダプタブラケット（９，２１，２６，３０，３７，４３，４８，５４，６０）が、ワイパブレード（１）に向いた側に、揺動運動を可能にする間隔を前記ワイパブレード（１）に対して有している、請求項１又は２記載の接続装置。
【請求項６】
係止結合部が、アダプタブラケット（９，２１）の両側に外側方向へ突出した係止突起（１６）と、ワイパアーム（２）のエンドピース（１９，２２）に形成された、前記係止突起（１６）のための係止切欠き（２０）とから形成されている、請求項１又は２記載の接続装置。
【請求項７】
アダプタブラケット（２１）の外側に、接続ピン（８）の、係止突起（１６）に向いていない側に、それぞれ１つの滑りエレメント（２３）が一体成形されており、エンドピース（２４）に、前記滑りエレメント（２３）のためのギャップ切欠き（２５）が形成されており、アダプタブラケット（２１）が、ギャップ切欠き（２５）に係合可能な滑りエレメント（２３）により係止位置へ移行可能である、請求項６記載の接続装置。
【請求項８】
アダプタブラケット（２６）の、ワイパブレード（１）に向いていない側に、回転ロックエレメント（２８）が配置されており、該回転ロックエレメント（２８）が、エンドピース（２７）に形成された開口（２９）に対応しており、ロック位置では、ワイパブレード（１）に向いていない側でエンドピース（２７）に後ろから係合する、請求項１又は２記載の接続装置。
【請求項９】
アダプタブラケット（３０）の、ワイパブレード（１）に向いていない側に、係止ノブ（３２）を有するばね弾性的な舌片（３１）が配置されており、かつワイパブレード（１）に向いた側に係止収容部（３３）が配置されており、エンドピース（３６）に、係止ノブ（３２）に対応した開口（３５）が配置されており、ワイパアーム（１）に向いた側に、係止収容部（３３）のための、内側方向に向いた係止突起（３４）が配置されており、係止収容部（３３）と係止突起（３４）とが、ワイパブレード（１）の摺動運動により、ワイパアーム（２）に対して互いにほぼ平行に係合可能であり、これにより、エンドピース（３６）がアダプタブラケット（３０）に下から係合し、係止ノブ（３２）が、係止位置で開口（３５）内に形状接続的に係合する、請求項１又は２記載の接続装置。
【請求項１０】
アダプタブロック（３７）が、ワイパアーム端部に向いていない側に端面に突出したストッパ面（３８）を備えており、両側に、外側へ突出したそれぞれ１つの係止突起（１６）を有しており、エンドピース（３９）の、ワイパブレード（１）に向いた側に、アダプタブラケット（３７）に下から係合するための内側方向に向いた突起（４１）と、係止突起（１６）のための係止切欠き（４０）とが配置されており、係止突起（１６）と係止切欠き（４０）とが、ワイパブレード（１）の摺動運動により、ワイパアーム（２）に対してほぼ平行に互いに係合可能である、請求項１又は２記載の接続装置。
【請求項１１】
接続ピン（４２）が、アダプタブラケット（４３）の両側で突出しており、面取りされており、アダプタブラケット（４３）が、接続ピン（４２）から間隔をおいて両側に、外側方向へ突出したそれぞれ１つの係止突起（１６）を有しており、面取り部（Ｄ）が、ワイパブレード（１）に対してほぼ垂直方向に設けられており、エンドピース（４４）が、端面に、接続ピン（４２）の面取りされた端部のための２つの係止収容部（４５）と、端面に設けられた、前記端部を挿入するためのギャップ状の切欠き（４６）と、係止突起（１６）のための２つの係止切欠き（４７）とを有しており、面取りされた領域（Ｄ）の厚さが、切欠き（４６）の幅に等しいか、又はわずかに大きくなっており、ワイパブレード（１）が、係止位置では、接続ピン（４２）の端部により係止収容部（４５）に係合しており、かつ係止突起（１６）により係止切欠き（４７）に係合しており、ギャップ状の切欠き（４６）が、ワイパブレード（１）に対して平行に、かつ面取り部（Ｄ）に対して直角に配置されている、請求項１又は２記載の接続装置。
【請求項１２】
アダプタブラケット（４８）が、保持装置（７）を有する鋳込み部材であり、該鋳込み部材に、円筒状の周面と、該周面の端面に、ワイパアーム端部に向いていない側に突出したストッパ面（４９）とが設けられており、前記鋳込み部材の長手方向軸線が、ワイパブレード（１）に対して平行に配置されており、周面に軸線平行に、差込みロックのための２つの案内溝（５１）が形成されており、該案内溝（５１）内に、ワイパアーム（２）のエンドピース（５２）内に配置されたそれぞれ１つの案内ピンが係合し、ロック位置が、ストッパ面（４９）に配置されたばね手段（５０）により確保されており、該ばね手段（５０）が、エンドピース（５２）を、ワイパアーム（２）の方向に負荷する、請求項１記載の接続装置。
【請求項１３】
アダプタブラケット（５４）が、保持装置（７）に堅固に結合されており、接続ピン（５３）がアダプタブラケット（５４）の両側に突出しており、ワイパブレード（１）に対して平行に面取りされており、ワイパブレード（１）に対して凹状に湾曲されており、アダプタブラケット（５４）が、ワイパブレード（１）に向いていない側で、ワイパブレード（１）に対して、アダプタブラケット（５４）の長手方向に凹状に湾曲されており、エンドピース（５５）の両側に、長く延びた、接続ピン（５３）のそれぞれの突出した端部と、接続ピン（５３）の湾曲に対応した切欠き（５６）とが設けられており、該切欠き（５６）に、ワイパアーム（２）の端部に向いた側で端部を挿入するために、ワイパブレード（１）に向けられたギャップ切欠き（５７）が形成されており、係止位置で、接続ピン（５３）が、切欠き（５６）内を往復運動可能に配置されており、エンドピース（５５）が、アダプタブラケット（５４）に傾斜可能に位置している、請求項１又は２記載の接続装置。
【請求項１４】
アダプタブラケット（６０）が、ワイパブレード（１）に向いていない方の側に長方形の開口（６１）を有しており、該開口（６１）が、エンドピース（６２）に形成された、長方形の、しかしながら、より幅広の開口（６３）に対応しており、アダプタブラケット（６０）とエンドピース（６２）との係止位置で、前記開口（６１，６３）内にＶ字形の、弾性的に圧縮可能な係止エレメント（６４）が配置可能であり、該係止エレメント（６４）が、該係止エレメント（６４）の外側に配置された係止レール（６５）により、アダプタブラケット（６０）の開口（６１）に下から係合し、自由な脚部端部に外側方向に形成されたストッパレール（６６）により、エンドピース（６２）に設けられた開口（６３）の縁部に位置している、請求項１記載の接続装置。
【請求項１５】
係止突起（１６）が、ばね弾性的な舌片（１７）に形成されており、舌片端部に操作取っ手（１８）が形成されている、請求項６，７，１０又は１１記載の接続装置。
【請求項１６】
エンドピース（３０３，３１６）が、アダプタブラケット（３０６，３１４）に、２つの案内レール（３０４，３２０）により下から係合し、アダプタブラケット（３０６，３１４）の、ワイパブレード（３０５）に向いていない側に係止ノブ（３０９）を有するばね弾性的な舌片（３１０）が一体成形されており、エンドピース（３０３，３１６）に、前記係止ノブ（３０９）のための係止開口（３０８）が形成されており、アダプタブラケット（３０６，３１４）及び／又は保持装置（３０７，３０８）にロック手段（３１２，３１９）が設けられており、該ロック手段（３１２，３１９）に、エンドピース（３０３，３１６）に形成されたストッパ手段（３０４；３１７，３２０）が、車両ウインドウにおけるウインドウワイパの作業領域で係合しており、これにより、エンドピース（３０３，３１６）が、作業位置でアダプタブラケット（３０６，３１４）に解除不能に結合されている、請求項１記載の接続装置。
【請求項１７】
ロック手段として、アダプタブラケット（３０６）の少なくとも一方の外側に形成された、エンドピース（３０３）に対して向けられたストッパブラケット（３１１）と、保持装置（３０７）の少なくとも一方の外側に該保持装置（３０７）のワイパアーム側の端部に一体成形されたロックブラケット（３１２）とが働き、それぞれの案内レール（３０４）の端面が、前記ストッパブラケット（３１１）及びロックブラケット（３１２）のためのストッパ手段として働く、請求項１６記載の接続装置。
【請求項１８】
アダプタブラケット（３１４）の、ワイパブレード（３０５）に向いてない側に、案内溝（３１５）が形成されており、保持装置（３１８）に、ロック手段として、ワイパアーム側の端部に一体成形されたロックブラケット（３１９）が形成されており、該ロックブラケット（３１９）の向かい側にストッパ面（３２１）が形成されており、エンドピース（３１６）ではストッパ手段として、エンドピース（３１６）の端面に配置されたストッパ舌片（３１７）と案内レール（３２０）とが働く、請求項１６記載の接続装置。
【請求項１９】
ウインドウワイパ装置のワイパアームに設けられるワイパブレードのための接続装置であって、ワイパブレードが、ワイパ条片を有するばね弾性的な支持エレメントから形成されており、前記接続装置に、支持エレメントの外縁に固定された保持装置と、ワイパブレード及びワイパアームの長手方向延びに対して横方向に配置された接続ピンとが設けられており、該接続ピンに、面取りされた端部領域又は面取りされた接続ジャーナルが設けられており、かつそれぞれ別の部分に形成された、前記接続ジャーナルのための中空円筒状の係止収容部が設けられており、該係止収容部に、半径方向に形成されたそれぞれ１つの切欠きが設けられている形式のものにおいて、接続ピン（２１２／２１３，２２４，２３６）が、該接続ピンの軸線を中心として回動可能に、アダプタブラケット（２１１，２２３，２３９）に回動不能に配置されており、かつ係止収容部（２１９，２３０，２３８）が、ワイパアーム（２０２）のエンドピース（２０６，２２９，２３７）に堅固に配置されており、組付け位置では、接続ジャーナル（２１３，２２４，２３６）の面取りされた側が、半径方向の切欠き（２２０，２３１）の方向に配置されており、かつアダプタブラケット（２１１，２２３，２３９）がエンドピース（２０６，２２９，２３６）に係止された場合に接続ジャーナル（２１３，２２４，２３６）が前記係止収容部（２１９，２２３，２３０）と形状接続的に係合している係止位置では、前記切欠き（２２０，２３１）の方向に対してほぼ横方向に配置されていることを特徴とする、ウインドウワイパ装置のワイパアームに設けられるワイパブレードのための接続装置。
【請求項２０】
保持装置（２０７）が、ベースプレート（２０８）を有しており、該ベースプレート（２０８）が、ワイパ条片（２０４）に、ワイパリップ（２０５）に向いていない側で上から係合しており、前記ベースプレート（２０８）が、かぎ爪状の脚部（２０９）により、支持エレメント（２０３）の外縁にクランプするように固定されており、ベースプレート（２０８）には、２つの固定舌片（２１０，２３３，２４１）が、ワイパブレード（２０１，２２７）の長手方向に対して平行に、旋回可能なＵ字形ロック部材の形で形成された、Ｕ字形の横断面のアダプタブラケット（２１１，２２３，２３９）のために配置されており、該アダプタブラケット（２２１，２２３，２３９）が、旋回軸線に沿って接続ジャーナル（２１３，２２４）を有している、請求項１９記載の接続装置。
【請求項２１】
エンドピース（２０６，２２９，２３７）が、アダプタブラケット（２１１，２２３，２３９）のための切欠き（２１７，２３２）を備えており、アダプタブラケット（２１１，２２３，２３９）が、係止位置でエンドピース（２０６，２２９，２３７）又は保持装置（２０７，２４１）に係止されている、請求項１９記載の接続装置。
【請求項２２】
アダプタブラケット（２１１，２２３，２３９）が、係止位置で、エンドピース（２０６，２２９，２３７）の切欠き（２１７，２３２）内に配置されている、請求項２１記載の接続装置。
【請求項２３】
接続ジャーナル（２２４）の自由な端部に、アダプタブラケット（２２３）のそれぞれの脚部に対してギャップを形成する間隔をおいて、固定レバー（２２５）が回動不能に配置されており、かつエンドピース（２３７）が、係止位置で、それぞれに形成されたギャップ（２２６）内に形状接続的に係合する、請求項２０又は２１記載の接続装置。
【発明の詳細な説明】
【技術分野】
【０００１】
本発明は、車両のためのウインドウワイパ装置のワイパアームに設けられるワイパブレードのための、特にウインドウの投影図で見てワイパアームに隣接して配置されたワイパブレードのための接続装置に関する。
【０００２】
ウインドウワイパ装置のワイパアームへのワイパブレードの配置は、接続装置を介して直接に、又は手間のかかるＵ字形部材システムを介して得られ、この場合に直接の配置は小さい構成高さの利点をもたらす。このような配置による解決策が、例えばＤＯＳ２３２４７０２、ドイツ連邦共和国特許公開第３４２４７２９号明細書、ドイツ連邦共和国特許公開第１９７２９８６４号明細書、ドイツ連邦共和国特許公開第１９７２９８６４号明細書、ドイツ連邦共和国特許第１９９３５８６１号明細書、ドイツ連邦共和国実用新案第２９６１１７２２号明細書及び国際公開第９９／３６３００号パンフレットに記載されている。このような配置のためのワイパブレードは、一般に湾曲された弾性的な支持体と、ワイパリップを備えたワイパ条片とを有しており、このワイパリップは、ワイパアームによりワイパブレードに加えられた圧着力に基づき、車両のそれぞれのウインドウガラスに弾性的に接触する。
【０００３】
ドイツ連邦共和国特許公開第１９７２９８６４号明細書に記載のウインドウワイパが、ワイパ条片のためのばね弾性的な支持エレメントを備えたワイパブレードを有しており、このワイパブレードの、ウインドウガラスに向いていない側には、駆動されるワイパアームに結合可能な接続装置が保持されており、この場合にこの接続装置は、ワイパ条片に設けられた切欠きに対応配置されている。この場合に２つの平行なばねレールから形成された支持エレメントが、互いに向かい合ってワイパ条片に形成された長手方向溝内に係合し、ばねレールの外側の長手方向縁部に上から係合する保持体（保持装置）により長手方向溝内に固定されている。この保持体は、支持エレメントの長手方向に延びる、ウインドウガラスに対して立てられて配置された、かつウインドウガラスから離れるように延びるフランジ状のショルダを有しており、これらのショルダには、ワイパブレードの長手方向延びに対して横方向に、かつワイパブレードのほぼワイプ方向に配置された、ワイパアームに形成された軸受収容部のための枢着ピンが固定されている。
【０００４】
さらにドイツ連邦共和国特許公開第１０００３５８９号明細書により、自動車ウインドウガラスのためのウインドウワイパ装置のワイパアームに配置するためのワイパブレードのための接続装置が記載されており、この接続装置は、ワイパブレードに堅固に配置された枢着ピン（接続ピン）と、旋回軸受の形でワイパアームに形成された中空円筒状の係止収容部とから形成されており、この係止収容部には、前記枢着ピン（接続ピン）のために半径方向にギャップ状の切欠きが設けられてる。接続ピンは面取りされており、この場合に、面取りされた領域の厚さは、切欠きの幅に等しいか、又はこれよりも大きい。切欠きが形成された半径方向は、ワイパアームにおけるワイパブレードの所定の作業位置では面取り部に対して横方向に付与されており、かつ組付け位置では面取り部に対して平行に付与されている（係止位置）。ワイパアームにおいてワイパブレードの取外し又は組付けを可能にするためには、このワイパアームは車両ウインドウガラスから離れるように折り畳み（weggeklappt）、ワイパブレードは組付け若しくは取外し位置で旋回させるか、若しくはワイパアームに対応配置し、接続ピンにより、係止収容部から係合解除する、若しくは係合させることができるようになっていなければならない。次いでワイパブレードはワイパアームに対して平行配置で、かつワイパアームはほぼ９０°だけ自動車ウインドウガラスに沿った作業及び接触位置へ旋回することができるようになっている。この位置（係止位置）では、ワイパブレードは簡単な形式でワイパアームに信頼性良く保持されている。もちろんワイパブレードの組付け若しくは取外しは比較的手間がかかる。
【０００５】
前記接続装置では、ワイパアームのエンドピースに配置された装置エレメントもワイパブレードに配置された装置エレメントも摩耗に屈してしまう。
【０００６】
そこで本発明の課題は、請求項１の上位概念部に記載の接続装置において、摩耗にさらされるエレメントがワイパブレードに、又は主にワイパブレードに配置されているように形成することである。
【０００７】
この課題は、請求項１に記載の特徴を有する上位概念部に記載の接続装置により解決される。有利な構成が従属請求項に記載されている。
【０００８】
本発明は、ウインドウワイパ装置のワイパアームに設けられるワイパブレードのための接続装置であり、この接続装置は、（公知の形式では）ワイパブレード堅固な保持装置と、この保持装置に配置された、ワイパブレードの長手方向延びに対して横方向に延びる接続ピンとを有しており、この接続装置では保持装置とワイパアームのエンドピースとの間にアダプタブラケットが配置されている。このアダプタブラケットは、接続ピンに枢着されており、保持装置で案内されており、ワイパアームのエンドピースに対応しており、アダプタブラケットに適合されたエンドピースは、解除可能な結合部、例えば係止結合又はラッチ(Verklinkung)によりワイパアームに配置されている。この場合に、アダプタブラケットは次のように形成されている、すなわち、接続ピン、ひいてはワイパブレードも、車両ウインドウガラスの湾曲に基づいた、この車両ウインドウガラス、ひいてはワイパアームに対しても所定の揺動運動を行うことができるように形成されている。ワイパアームのエンドピースの所定の位置に配置された、ワイパブレードの固定された構成部材としてのアダプタブラケットは、これにより、ワイパブレードとワイパアームとの間の運動手段であり、同時にこのワイパアームのための保持エレメントである。ワイパアームに対してワイパブレードの運動を可能にするエレメントと、アダプタブラケットと保持装置の間の案内部とは、これにより、もっぱらワイパブレードにのみ形成されている。これにより、ワイパブレードのみがウインドウワイパの摩耗部材としてみなすことができる。ワイパアームへのワイパブレードの組付け及び取外しは簡単な形式で誤りなしに可能である。ワイパブレードとワイパアームとの間に形成された結合は安定しており、堅固であり、特に高い走行速度時の負荷に耐える。
【０００９】
有利には、アダプタブラケットは形状安定性のプラスチック又は金属、特に軽金属からフード状に形成された鋳込み部材であり、この鋳込み部材は保持装置をカバーし、保持装置の、ワイパブレードの長手方向延びに対して平行に形成された長手方向側部に特に少なくとも部分的に接触しており、アダプタブラケットには接続ピンのための軸受が形成されている。これらの軸受は、有利には接続ピンの端部のための係止収容部の形で形成されていてよく、この場合に係止収容部にはそれぞれ挿入スリットが設けられており、この挿入スリットは、アダプタブラケットの、ワイパブレードに向いた側に挿入開口を有している。これにより、アダプタブラケットは簡単な形式で、接続ピンが両方の挿入スリット内に挿入された場合に、接続ピンを係止収容部に係合させる押圧作用により、接続ピンに、ひいては保持装置にも配置可能である。これにより、アダプタブラケットは保持装置に枢着的に保持され、部分的な接触によりこの保持装置で傾倒することなしに案内される。
【００１０】
ワイパアームのエンドピースは、有利には次のように形成されている、すなわち、ワイパアームにワイパブレードを配置した場合に、エンドピースはアダプタブラケットを形状接続的又はほぼ形状接続的に上から係合し、これにより、ワイパブレードが、このことによっても車両ウインドウワイパに対して所定の位置に安定的に傾倒することなしに保持されている。
【００１１】
ワイパブレードに対してアダプタブラケットは間隔をおいて配置されており、これにより、アダプタブラケットには、車両ウインドウガラスの湾曲に基づき可能となる必要のある、接続ピンを中心とした揺動運動が可能となり、これにより、ワイパブレードは車両ウインドウガラスにおいてそれぞれの位置で、必要な圧着力により車両ウインドウガラスに位置している。運動制限のためには、アダプタブラケットの、ワイパブレードに向いた側には、接続ピンの両側にストッパ面が形成されていてよい。
【００１２】
別の構成では、エンドピースが、側方に配置された２つの案内レールによりアダプタブラケットに上から係合する。このアダプタブラケットは、ワイパブレードに向いていない側にばね弾性的な舌片を有しており、この舌片にはエンドピースに形成された係止開口のための係止ノブが設けられている。さらにアダプタブラケット及び／又は保持装置にはロック手段が設けられており、これらのロック手段には、車両ウインドウガラスにおけるウインドウワイパの作業位置で、エンドピースに形成されたストッパ手段が係合している。基本的にこのように形成された構成は、エンドピースとアダプタブラケットとの係止が機能しない場合にワイパアームへのワイパブレードの誤った組付けを阻止する。鏡像的なワイパブレードは、例えば反転ウインドウワイパ装置の場合には、それぞれに設けられたワイパアームにのみ組み付けることができる。
【００１３】
本発明には択一的な接続装置もある。この場合には、接続ピンは両側で面取りされており、接続ジャーナルの形に成形されているか、又はこれに対して択一的に、それぞれ半径方向に形成された切欠きを有する中空円筒状の係止切欠きのための２つの面取りされた接続ジャーナルの形に形成されている。この場合には接続ピン若しくは接続ジャーナルが、これらの接続ピン／接続ジャーナルの軸線を中心として回動可能に保持装置で支承されており、アダプタブラケットに回動不能に結合されており、係止収容部がワイパアームのエンドピースに堅固に配置されている。これに対して択一的には、接続ピン若しくは接続ジャーナルが、ワイパアームに堅固に配置されており、係止収容部が旋回可能に保持装置に配置されており、この場合にアダプタブラケットに回動不能に結合されていてもよい。この場合に、接続ジャーナルは組付け位置では、接続ジャーナルの回動により、又はワイパブレードに堅固に配置された接続ジャーナルの場合にはワイパブレード全体の旋回により、面取りされた側部により切欠きの方向に整列されており、かつアダプタブラケットがエンドピースに係止されている場合に切欠きにより互いに形状接続的に噛み合っている、車両ウインドウガラスにおける運転位置では、切欠きの方向に対してほぼ横方向に整列されており、ひいては切欠きに係止されている。
【００１４】
この形式の接続装置は、ワイパアームへのワイパブレードの簡単な組付けをも可能にし、同時に車両ウインドウガラスにおける運転位置（同時に係止位置）では、ワイパアームとワイパブレードとの間の信頼性よい結合を形成する。誤った組付けが阻止される。前記接続装置は、車両ウインドウガラスの湾曲に基づいた、ワイパアームにおけるワイパブレードの所定の揺動運動を保証する。なぜならば、接続ピンと係止収容部とは、互いに相対的な回動運動を行うことができるからである。形成された結合は安定的かつ頑丈であり、特に高い走行速度時の負荷にも耐える。
【００１５】
この構成のためのさらなる従属請求項には、種々異なった実施態様が記載されている。
【００１６】
次に図１ａ，図１ｂ，図１ｃ，図２ａ，図２ｂ，図３ａ，図３ｂ，図４ａ，図４ｂ，図５ａ，図５ｂ，図６，図７ａ，図７ｂ，図８，図９ａ，図９ｂ，図１０ａ，図１０ｂ，図１０ｃ，図１１ａ，図１１ｂ，図１１ｃ，図１２，図１３ａ，図１３ｂ，図１４ａ，図１４ｂ，図１４ｃ及び図１５の図面につき多数の構成を説明する。これらの構成は全て、ウインドウワイパに対応配置されたワイパアームに前記形式の接続装置を備えたワイパブレードの簡単な、ひいては迅速な取外し及び組付けを可能にする。
【００１７】
図１ａ、図１ｂ及び図１ｃには、ウインドウワイパ装置のワイパアーム２に設けられたワイパブレード１のための接続装置が示されている。このワイパプレード１は、ワイパリップ５を備えたワイパ条片４のための、２つのばねレール３から形成された支持エレメントと、前記ばねレール３の外縁にかぎ爪状の脚部６によりクランプするように固定された、ばねレール３の、ワイパリップ５に向いていない側でワイパ条片４に上から係合する保持装置７とを有しており、この保持装置７には、ワイパブレード１の長手方向延びに対して横方向に貫通孔内に固定された接続ピン８が設けられている。保持装置７は、中断されたスポイラ条片の領域に配置されており、このスポイラ条片は、同様にばねレール３の外縁で保持されており、ワイパ条片４に上から係合しており、このうちの一部の横断面図が示されている。接続ピン８は、図１ｂに示したアダプタブラケット９の回動可能な配置のために役立つ。
【００１８】
このアダプタブラケット９は、キャップ状の、平方六面体状に形成されたＡｌ鋳込み部材であり、このＡｌ鋳込み部材は組み付けられた状態では保持装置７を取り囲んでおり、Ａｌ鋳込み部材の長手方向側壁には接続ピン８のためのそれぞれ１つの軸受１０が形成されている。これらの軸受１０は、アダプタブラケット９の、ワイパブレード１に向いた側に、接続ピン８のための挿入ギャップ１１を備えており、この挿入ギャップ１１に向かい合った側には軸受１０の弾性的な拡開のためのスリット１２を有している。両方の端面にはアダプタブラケット９は切欠き１３を備えており、これらの切欠き１３は向かい合ったそれぞれ２つの案内面１４を形成しており、これらの案内面１４によりアダプタブラケット９は保持装置７に可動に接触しており、これらの案内面１４によりアダプタブラケット９は案内されている。接続ピン８にアダプタブラケット９を回動可能に配置し、保持装置７に沿ってこのアダプタブラケット９の端面を案内することにより、接続ピン８を中心とした揺動運動が保証されている。
【００１９】
妨げられない揺動運動を確保するためには、アダプタブラケット９は、ワイパブレード１に向いた側に、ばねレール３の縁部に対してギャップを形成しており、さらに切欠き１５．１及び１５．２を有しており、これらの切欠き１５．１及び１５．２は、接続ピン８を中心としたアダプタブラケット９の傾斜を、妨げられずに可能にし、この場合に切欠き１５．１は、対応した傾斜時には脚部６を収容するために働く。
【００２０】
さらにアダプタブラケット９は両方の長手方向側にそれぞれ係止突起１６を備えており、この係止突起１６は、アダプタブラケット９の壁に設けられた弾性的にたわみ可能な舌片１７に形成されており、この舌片１７の自由な端部は、軽く外側方向へ突出した操作取っ手の形１８に形成されている。
【００２１】
ワイパアーム２の自由な端部は、アダプタブラケット９に適合されたエンドピース１９の形に形成されており、このエンドピース１９は、アダプタブラケット９に、ほぼ形状接続的に(formschluessig)次のように、すなわち、ワイパブレード１が妨げられずに揺動運動を行うことができるように配置可能になっている。アダプタブラケット９に固定するためには、エンドピース１９は、前記係止突起１６に対応した係止切欠き２０を有しており、この係止切欠き２０内には、ワイパブレード１が組み付けられた状態で係止突起１６が挿入され、このためには、ワイパブレード１はエンドピース１９内へ簡単に押込み可能である。ワイパブレード１を取り外すためには、操作取っ手１８が押圧され、これにより、係止突起１６は係止切欠き２０との係合から外れ、ワイパブレード１はエンドピース１９から引き出される。
【００２２】
図２ａ及び図２ｂは、接続装置の構成を示している。この構成は、アダプタブラケット２１の長手方向側に、操作取っ手１８を備えたそれぞれ２つの係止突起１６が一体成形されており、これらの２つの係止突起１６が、ワイパアーム２のエンドピース２２内に設けられた係止切欠き２０と係合可能であるという点によってのみ上記構成と異なっている。この構成は、固定装置の安定性の向上のために貢献する。図２ａは、既に保持装置７に組み付けられたアダプタブラケット２１を示しており、このアダプタブラケット２１を介して、ワイパブレード１は簡単な形式でエンドピース２２内へ押込み可能である。
【００２３】
図３ａ及び図３ｂによる構成では、係止突起対が、湾曲された２つの滑りブロック２３により代替されており、これらの滑りブロック２３は、エンドピース２４（図３ｂ）内に形成された、同じ形式で湾曲されたギャップ開口２５に係合可能である。この場合に、湾曲部は、接続ピン８の別の側に形成された係止突起１６に向かって軽く凸状になっており、同様に付加的な固定に関して固定装置の安定性を高めるために働く。もちろん、エンドピース２４へのワイパブレード１の組付けは、ギャップ開口２５内への滑りブロック２３の挿入に結びついており、ひいては図２による構成に対して幾らか難しくなっている。滑りブロック２３がギャップ開口２５内へ次第に進入するにつれて、ワイパブレード１の傾斜角度はエンドピース２４に対して、湾曲に基づき次第にわずかになり、係止突起が係止切欠き２０内へ挿入された係止位置ではゼロである。
【００２４】
接続装置の別の構成を図４ａ及び図４ｂが示している。この構成では、アダプタブラケット２６は、ワイパブレード１に向いていない、エンドピース２７に向いた側に、長く延びた、アダプタブラケット２６の方向にばね力を負荷された（図示していない）回転ノブ２８を備えており、この回転ノブ２８は、エンドピース２７内に配置された、回転ノブ２８の形状に適合された開口２９に係合可能である。アダプタブラケット２６がエンドピース２７内へ挿入された固定位置では、前記回転ノブ２８はエンドピース２７の開口２９を介して、この開口２９を越えて外側へ突出しており、把持し、軽く引き出し、特に９０°だけ回動させることができ、この場合に、回転ノブの引出しは、この回動ノブの下側が、エンドピース２７の上側のレベルを有しており、回動することができる程度まで可能である。回転ノブ２８及び開口２９の構成及び回転ノブ２８の回動により、アダプタブラケット２６はエンドピース２７によりロックされる。
【００２５】
図５ａ及び図５ｂは、係止装置を有する接続装置の別の構成を示している。アダプタブラケット３０には、ワイパブレード１に向いていない側に、係止ノブ３２を有するばね弾性的な舌片３１が配置されており、ワイパブレード１に向いた側には、アダプタブラケット３０の長手方向壁部に係止切欠き３３が配置されており、これらの係止切欠き３３には、これらの係止切欠き３３のための係止突起３４と、開口３５とを備えたエンドピース３６のためのストッパ面が設けられている。ワイパブレード１を組み付けるためには、アダプタブラケット３０はエンドピース３６内に、アダプタブラケット３０が、舌片３１を有する係止ノブ３２の弾性的な押込み下にエンドピース３６の上壁に当接するまで挿入される。次いで係止突起３４が係止切欠き３３に完全に係合するまで、ワイパアーム１はエンドピース３６に対して長手方向に摺動される。この位置では係止ノブ３２は開口３５に対応しており、この開口３５内に挿入され、これにより、アダプタブラケットはエンドピース３６に堅固に結合されている。ワイパブレード１の取外しは、係止ノブ３２を押し込み次いでワイパブレード１を係止位置から摺動することにより行われる。
【００２６】
図６による接続装置の構成では、平行六面体状のアダプタブラケット３７が、ワイパアームに向いていない側に端壁を備えており、この端壁は側壁を越えて突出しており、エンドピース３９のためのストッパ面３８を形成している。さらにアダプタブラケット３７の、両長手方向側には係止突起１６．１が一体成形されている。エンドピース３９は、アダプタブラケット３７との係止位置で係止突起１６．１に対応する係止切欠き４０を有しており、エンドピース３９の長手方向側の側壁の内部には内側方向に向いた、アダプタブラケット３７に下から係合するための突起４１を有している。エンドピース３９に沿った摺動運動により、アダプタブラケット３７に設けられたワイパブレード１が、エンドピース３９の端面がストッパ面３８に当接するまでエンドピース内に押し込まれ、この場合に、アダプタブラケット３７は突起４１により下から係合される。この最終位置では係止突起１６は係止切欠き４０内との係合に至り、アダプタブラケット３７をエンドピースに固定する。
【００２７】
図７ａ及び図７ｂによる接続装置の構成は、接続ピン４２に枢着的に保持されたアダプタブラケット４３と、対応して適合されたエンドピース４４とから形成されている。アダプタブラケット４３の長手方向側部には接続ピン４２の端部が突出しており、面取りされており、この場合に面取り部Ｄはワイパブレード１の長手方向延びに対してほぼ垂直に形成されている。さらにアダプタブラケット４３は２つの係止突起１６を有している。エンドピース４４は、端面に、面取りされた前記端部のための、それぞれ１つの挿入開口４６を有する２つの係止収容部４５と、係止突起１６のための係止切欠き４７とを備えており、この場合に面取りされた領域（Ｄ）の厚さは挿入開口４６の最も挟幅な箇所の幅にほぼ等しい。ワイパブレード１は、エンドピース４４に対して垂直に、接続ピン４２の端部により係止収容部４５内へ挿入され、９０°だけワイパアーム２に対して平行位置へ、ひいては係止突起１６と係止切欠き４７との係止位置へもたらされる。係止位置では、挿入開口４６はワイパブレード１に対して平行に、かつ面取り部Ｄに対して垂直に配置されており、これにより、接続ピン４２の端部は、係止突起１６の係止により同様に固定されており、ワイパブレード１はワイパアーム２に固定されている。
【００２８】
図８は、接続装置の別の構成を示している。この構成では、アダプタブラケット４８は円筒状の周面を有する鋳込み部材であり、上に述べた構成のように、保持装置７の接続ピン８で枢着的に、ワイパブレード１から間隔をおいて配置されている。ワイパアームの端部に向いていない端面には、アダプタブラケット４８は端壁４９を備えており、この端壁４９は周面を越えて突出しており、同時に周面に配置されたばね手段５０のための支持体を形成している。周面には、軸線平行に、かつ周面で向かい合って、すなわち、１８０°だけずさらて、端壁４９に向いた端部にそれぞれ１８０°の折曲げ部を備えた２つの案内溝５１が設けられている。周面に適合されたエンドピース５２の内部には、前記案内溝５１に係合するための２つの案内ピン（図示していない）が配置されている。組付けのためには、ワイパブレード１は長手方向軸線を中心として、案内溝５１が案内ピンに対応し、次いでエンドピース５２内へ押し込まれ、ストッパで差込みロックの場合のように回動され、係止されるまで回動され、この場合にばね手段５０がアダプタブラケット４８を係止位置へ押圧し、この係止位置に保持する。
【００２９】
図９に示した接続装置は、保持装置７に堅固に結合された接続ピン５３を有しており、この接続ピン５３の端部はアダプタブラケット５４の両側に突出しており、ワイパブレード１に対して平行に面取りされており、この場合にワイパブレード１に対して凹状に軽く湾曲されている。アダプタブラケット５４は、上に述べた構成とは反対に保持装置７（この保持装置７の脚部６のみを見ることができる）に堅固に結合されており、ワイパブレード１に向いていない側で凹状に湾曲されている。エンドピース５５は、両方の長手方向壁内に、それぞれ長く延びた、接続ピン５３のそれぞれの突出した端部及び湾曲に対応したリンクガイド５６を有しており、このリンクガイド５６には、ワイパアーム１に向いた側に挿入ギャップ５７が設けられている。この場合にこの挿入ギャップ５７は接続ピン５３の端部と同じ幅である。ワイパブレード１の組付けは、エンドピース５５に対して平行な配向で行われ、この平行な配向で接続ピン５３は挿入ギャップ５７を介して、次いでワイパブレード１をワイパアーム２の方向に摺動することによりリンクガイド５６内へ押し込まれる。このリンクガイド５６内では、接続ピン５３は往復運動可能に案内されており、湾曲に基づき、ウインドウワイパの運転時に必要な揺動運動を行う。
【００３０】
図１０ａ、図１０ｂ及び図１０ｃに示した接続装置がＵ字形の保持装置５８（詳細に見ることができない）を有しており、この保持装置５８はかぎ爪状の脚部５９によりばねレール３の外縁にクランプするように固定されている。保持装置５８に接続ピン８で枢着されたアダプタブラケット６０が、ワイパブレード１に向いていない側に、保持装置５８の脚部の間の領域に長方形の開口６１を備えており、この開口６１は、エンドピース６２に形成された長方形の、しかしながらより幅広の開口６３に対応している。これらの両方の開口６１，６３には、Ｖ字形の、弾性的に圧縮可能な係止エレメント６４が対応配置されており（図１０ｃ）、この係止エレメント６４は、この係止エレメント６４の外側に配置された係止レール６５を備えており、自由な脚端部には外側方向に向いたストッパレール６６を備えており、この場合に、係止レール６５とストッパレール６６との間の間隔は、アダプタブラケット６０及びエンドピース６２の、ワイパブレード１に向いていない壁部６７，６８の厚さの総和に対応している。ワイパブレード１をワイパアーム２に組み付けるためには、ワイパブレード１はアダプタブラケット６０が壁部６８に当接するまでエンドピース６２内へ挿入され、弾性的に圧縮された係止エレメント６４の挿入により、この係止エレメントの引き続く拡開により係止される。
【００３１】
図１１ａ、図１１ｂ及び図１１ｃには接続装置が示されている。この接続装置では、ワイパアーム３０２に形成されたエンドピース３０３が、ワイパブレード３０５で接続ピンにより旋回可能に保持されたアダプタブラケット３０６及びこのアダプタブラケット３０６のための保持装置３０７に係合するための２つの案内レール３０４と、アダプタブラケット３０６に設けられたばね弾性的な舌片３１０に配置された係止ノブ３０９のための係止開口３０８とを有している。さらにアダプタブラケット３０６の両方の外側には、エンドピース３０３に向かい合った、アダプタブラケット３０６の旋回運動を可能にする、案内レール３０４のためのそれぞれ１つの楔状のストッパブラケット３１１が形成されている。これらの案内レール３０４のためには、保持装置３０７はワイパアーム側の端部の両側にそれぞれ１つのロックブラケット３１２をも有している。前記案内レール３０４は、両方の端面により、ストッパブラケット３１１及びロックブラケット３１２のためのストッパ手段として働く。
【００３２】
図１１ｂ及び図１１ｃは、エンドピース３０３へのワイパブレード３０５の組付けを示している。このためには、アダプタブラケット３０６が次のように、すなわち、アダプタブラケット３０６の下縁３１３（図１１ａ）が案内レール３０４により下から係合されるようにエンドピース３０３内へ押し込まれ、押込み方向で見て、それぞれの案内レール３０４の前側端面が向かい合ったストッパブラケット３１１に当接するまで摺動される（図１１ｂ）。次いでこの位置で係止ノブ３０９が係止開口３０８内に噛み合い、エンドピース３０３とアダプタブラケット３０６とは互いに係止されており、これにより、ワイパブレード３０５はワイパアーム３０２で固定されている。次いでエンドピース３０３とアダプタブラケット３０６（見ることができない）とを有する前記ワイパアーム３０２は、図１１ｃに示した作業位置へ旋回され、この場合に、案内レール３０４がロックブラケット３１２に後ろから係合する。これにより、エンドピース３０３は係止開口３０８内への係止ノブ３０９の噛合いとは無関係に保持装置３０８で紛失不能に固定されているが、しかしながら、車両ウインドウでの運転時（作業位置）にはこのウインドウに対してウインドウ湾曲に基づいた揺動運動を、接続ピンを中心として行うことができる。
【００３３】
図１２は別の構成を示している。この構成は、ロック−及びストッパ手段が配置されていることにより前記構成とは異なっている。アダプタブラケット３１４には、ワイパブレード３０５に向いていない側に、エンドピース３１６の端面に配置されたストッパ舌片３１７のための案内溝３１５が設けられている。保持装置３１８は、ワイパアーム側の端部の両側にはそれぞれエンドピースに一体成形された案内レール３２０のためのロックブラケット３１９を有しており、ワイパアームに向いていない側にはストッパ舌片３１７のためのストッパ面３２１を備えた凹部を有している。
【００３４】
ワイパブレード３０５の組付けは図１１ａ、図１１ｂ及び図１１ｃによる構成と同じ形式で行われ、この場合にはアダプタブラケット３１４はこのアダプタブラケット３１４が案内レール３２０により下から係合された場合に、ストッパ舌片３１７がストッパ面３２１に当接するまでエンドピース内へ押し込まれる。この位置では、係止ノブ３０９は係止開口３０８内に噛み合い、これにより、ワイパブレード３０５はワイパアーム３０２のエンドピース３１６に固定されている。アダプタブラケット３１４を有するエンドピース３１６が作業位置へ旋回された場合（図１１ｃ参照）には、両方の案内レール３２０がロックブラケット３１９に係合する。これにより、係止ノブ３０９と係止開口３０８との係止が誤まって行われなかった場合にもワイパブレード３０５が紛失不能にワイパアーム３０２に固定されている。
【００３５】
図１３ａ及び図１３ｂには、ウインドウワイパ装置（図示してない）のウインドウワイパのワイパアーム２０２のエンドピース２０６に設けられた、ワイパブレード２０１のための択一的な接続装置が示されている。ワイパブレード２０１は２つのばねレール２０３から形成された、ワイパリップ２０５を有するワイパ条片２０４のための支持エレメントと保持装置２０７とを有している。この保持装置２０７はベースプレート２０８によりワイパリップ２０５に向いていない側でワイパ条片２０４に上から係合し、かぎ爪状の脚部２０９によって、ばねレール２０３の外縁にクランプするように固定されている。ベースプレート２０８には、ワイパブレード２０１の長手方向延びに対して平行に２つの固定舌片２１０が、ワイパ条片２０４に向いていない側に延びるように形成されており、これらの固定舌片２１０には、Ｕ字形の横断面のＵ字形ロック部材の形で形成されたアダプタブラケット２１１がピン２１２により旋回可能に支承されており、このピン２１２の両方の自由な端部は、それぞれ面取りされた接続ジャーナル２１３の形に成形されており、この場合にピン２１２は回動可能に固定舌片２１０に保持されており、Ｕ字形ロック部材２１１は、ピン２１２及び接続ジャーナル２１３に回動不能に結合されている。Ｕ字形ロック部材２１１には、側方に形成された２つの凹部２１５を有する舌片２１４が一体成形されている。
【００３６】
アダプタブラケット２１１に適合されたエンドピース２０６が、ワイパブレード２１０に向いていない側に切欠き２１７を有しており、長手方向に延びた両方の側壁２１８にはそれぞれ１つの中空円筒状の係止収容部２１９を有している。この係止収容部２１９には、アダプタブラケット２１１を形状接続的に収容するための、半径方向に形成された切欠き２２０が設けられており、この場合にアダプタブラケット２１１のために形成された挿入開口の内径は、面取りされた接続シャフト２１３の厚さに対応しており、かつ係止収容部２１９の直径は、接続シャフト２１３の内径に対応している。エンドピース２０６の端面には、凹部２２１の上端に２つの係止突起２２２が形成されている。図１３ａはワイパブレード２０１を、ワイパアーム２０２に対する組付け位置で示している。この組付け位置ではアダプタブラケット２１１は立てられており、接続ジャーナル２１３の面取りされた側部はワイパブレード２０１に対してほぼ垂直に配置されている。
【００３７】
ワイパブレード２０１の組付けのためには、Ｕ字形ロック部材の形で形成されたアダプタブラケット２１１が、両方の接続ピン２１３が係止収容部２１９内に噛み合うまで切欠き２１７を介して摺動される。次いでアダプタブラケット２１１が９０°だけエンドピース２０６の方向に旋回される。この場合にアダプタブラケット２１１の両方の脚部は内側で固定舌片２１０に形状接続的に接触しており、接続ジャーナル２１３は係止収容部２１９に形状接続的に係止されている。この最終位置では、Ｕ字形ロック部材２１１は、このＵ字形ロック部材２１１に一体成形された舌片２１４により、係止突起２２２を有する凹部２１５の領域に係止される。この係止位置（図１３ｂ）では、接続ジャーナル２１３はワイパブレード２０１に対して平行位置に、かつ半径方向に配置された切欠き２２０に対して横方向に位置しており、このことはエンドピース２０６及びワイパアーム２０２に対しても同様であり、この場合に、エンドピース２０６の下縁とワイパブレード２１０との間には、ワイパブレード２０１が、ワイパアーム２０２に沿って運転に基づく揺動を行うことができるだけ、多くの遊びスペースが設けられている。
【００３８】
前記構成とは異なり、接続装置の図１４ａ、図１４ｂ及び図１４ｃに示した構成では、Ｕ字形ロック部材の形で形成されたアダプタブラケット２２３に回動不能に結合された、面取りされた接続ピン２２４の自由な端部には操作レバー２２５が回動不能に配置されており、この場合に、この操作レバー２２５と、アダプタブラケット２２３のそれぞれの脚部との間にはギャップ２２６が形成されている（図１４ｂ）。図１４ａはワイパブレード２２７をワイパアーム２２８に対する組付け位置で示しており、このワイパアーム２２８のエンドピースには、両側壁２２９に、切欠き２３１を有する係止収容部２３０が形成されており、ワイパブレード２２７に向いていない側には切欠き２３２が設けられている。組付けのためには、立てられたアダプタブラケット２２３が切欠き２３２内へ押し込まれ、この場合に側壁２２９がそれぞれのギャップ２２６内へ滑り、この場合に接続ジャーナル２２４が係止収容部２３０内へ滑る。次いでアダプタブラケット２２３が９０°だけ旋回される。最終位置では、アダプタブラケット２３３は保持装置の固定舌片２３３に係止される。このためには、それぞれの固定舌片２３３内には係止突起２３５のための係止収容部２３４が設けられており、前記係止突起２３５は、アダプタブラケット２２３のそれぞれの脚部の内側に形成されている。図１４ｃは、ワイパアーム２２８に配置されたワイパブレード２２７を示している。
【００３９】
図１５による構成では、接続ピン２３６がエンドピース２３７の長手方向側壁の内側に配置されており、これらの接続ピン２３６のための係止収容部２３８が、Ｕ字形ロック部材の形で形成されたアダプタブラケット２３９に回動不能に配置されており、このアダプタブラケット２３９は、このアダプタブラケット２３９に回動不能に結合された中空軸２４０を介して固定舌片２４１に回動可能に支承されている。長手方向側壁及び固定舌片２４１には係止位置での互いの係合のための係止エレメント２４２，２４３が配置されている。
【図面の簡単な説明】
【００４０】
【図１ａ】ウインドウワイパ装置のワイパアームのワイパブレードの接続装置の斜視図である。
【図１ｂ】ウインドウワイパ装置のワイパアームのワイパブレードの接続装置の斜視図である。
【図１ｃ】ウインドウワイパ装置のワイパアームのワイパブレードの接続装置の斜視図である。
【図２ａ】アダプタブラケットの長手方向側に操作取っ手を有するそれぞれ２つの係止突起が一体成形された接続装置の斜視図である。
【図２ｂ】アダプタブラケットの長手方向側に操作取っ手を有するそれぞれ２つの係止突起が一体成形された接続装置の斜視図である。
【図３ａ】２つの湾曲された滑りブロックを有する接続装置の斜視図である。
【図３ｂ】２つの湾曲された滑りブロックを有する接続装置の斜視図である。
【図４ａ】接続装置の別の構成を示す斜視図である。
【図４ｂ】接続装置の別の構成を示す斜視図である。
【図５ａ】係止装置を有する接続装置の別の構成を示す斜視図である。
【図５ｂ】係止装置を有する接続装置の別の構成を示す斜視図である。
【図６】接続装置の別の構成の斜視図である。
【図７ａ】接続装置の別の構成の斜視図である。
【図７ｂ】接続装置の別の構成の斜視図である。
【図８】接続装置の別の構成の斜視図である。
【図９ａ】接続装置の別の構成の斜視図である。
【図９ｂ】接続装置の別の構成の斜視図である。
【図１０ａ】接続装置の別の構成の斜視図である。
【図１０ｂ】接続装置の別の構成の斜視図である。
【図１０ｃ】接続装置の別の構成の斜視図である。
【図１１ａ】接続装置の別の構成の斜視図である。
【図１１ｂ】接続装置の別の構成の斜視図である。
【図１１ｃ】接続装置の別の構成の斜視図である。
【図１２】接続装置の別の構成の斜視図である。
【図１３ａ】ウインドウワイパ装置のウインドウワイパのワイパアームのエンドピースに設けられるワイパブレードのための択一的な接続装置を示す斜視図である。
【図１３ｂ】ウインドウワイパ装置のウインドウワイパのワイパアームのエンドピースに設けられるワイパブレードのための択一的な接続装置を示す斜視図である。
【図１４ａ】接続装置の別の構成の斜視図である。
【図１４ｂ】接続装置の別の構成の断面図である。
【図１４ｃ】接続装置の別の構成の斜視図である。
【図１５】接続装置の別の構成の斜視図である。
【符号の説明】
【００４１】
１  ワイパブレード、  ２  ワイパアーム、  ３  ばねレール、  ４  ワイパ条片、  ５  ワイパリップ、  ６  脚部、  ７  保持装置、  ８  接続ピン、  ９  アダプタブラケット、  １０  軸受、  １１  挿入ギャップ、  １２  スリット、  １３  切欠き、  １４  案内面、  １５．１  切欠き、  １５．２  切欠き、  １６  係止突起、  １６．１  係止突起、  １７  舌片、  １８  操作取っ手、  １９  エンドピース、  ２０  係止切欠き、  ２１  アダプタブラケット、  ２２  エンドピース、  ２３  滑りブロック、  ２４  エンドピース、  ２５  ギャップ開口、  ２６  アダプタブラケット、  ２７  エンドピース、  ２８  回転ノブ、  ２９  開口、  ３０  アダプタブラケット、  ３１  舌片、  ３２  係止ノブ、  ３３  係止切欠き、  ３４  係止突起、  ３５  開口、  ３６  エンドピース、  ３７  アダプタブラケット、  ３８  ストッパ面、  ３９  エンドピース、  ４０  係止切欠き、  ４１  突起、  ４２  接続ピン、  ４３  アダプタブラケット、  ４４  エンドピース、  ４５  係止収容部、  ４６  挿入開口、  ４７  係止開口、  ４８  アダプタブラケット、  ４９  端壁、  ５０  ばね手段、  ５１案内溝、  ５２  エンドピース、  ５３  接続ピン、  ５４  アダプタブラケット、  ５５  アダプタブラケット、  ５６  リンク案内部、  ５７  挿入ギャップ、  ５８  保持装置、  ５９  脚部、  ６０  アダプタブラケット、  ６１  開口、  ６２  エンドピース、  ６３  開口、  ６４  係止エレメント、  ６５  係止レール、  ６６  ストッパエレメント、  ６７  壁部、  ６８  壁部、  Ｄ  面取り部、  ２０１  ワイパブレード、  ２０２  ワイパアーム、  ２０３  ばねレール、  ２０４  ワイパ条片、  ２０５  ワイパリップ、  ２０６  エンドピース、  ２０７  保持装置、  ２０８  ベースプレート、  ２０９  脚部、  ２１０  固定舌片、  ２１１  Ｕ字形ロック部材／アダプタブラケット、  ２１２  ピン、  ２１３  接続ピン、  ２１４  舌片、  ２１５  凹部、  ２１７  切欠き、  ２１８  側壁、  ２１９  係止収容部、  ２２０  切欠き、  ２２１  凹部、  ２２２  係止突起、  ２２３  Ｕ字形ロック部材／アダプタブラケット、  ２２４  接続ジャーナル、  ２２５  操作レバー、  ２２６  ギャップ、  ２２７  ワイパブレード、  ２２８  ワイパアーム、  ２２９  側壁、  ２３０  係止収容部、  ２３１  切欠き、  ２３２  切欠き、  ２３３  固定舌片、  ２３４  係止収容部、  ２３５  係止突起、  ２３６  接続ジャーナル、  ２３７  エンドピース、  ２３８  係止収容部、  ２３９  Ｕ字形ロック部材／アダプタブラケット、  ２４０  中空軸、  ２４１  固定舌片、  ２４２  係止エレメント、  ２４３  係止エレメント、  ３０２  ワイパアーム、  ３０３  エンドピース、  ３０４  案内レール、  ３０５  ワイパブレード、  ３０６  アダプタブラケット、  ３０７  保持装置、  ３０８  係止開口、  ３０９  係止ノブ、  ３１０  舌片、  ３１１  ストッパブラケット、  ３１２  係止ブラケット、  ３１３  縁部、  ３１４  アダプタブラケット、  ３１５  案内溝、  ３１６  エンドピース、  ３１７  ストッパ舌片、  ３１８  保持装置、  ３１９  係止ブラケット、  ３２０  案内レール、  ３２１  ストッパ面
【図１】
2006525903.tif 000003
【図２】
2006525903.tif 000004
【図３】
2006525903.tif 000005
【図４】
2006525903.tif 000006
【図５】
2006525903.tif 000007
【図６】
2006525903.tif 000008
【図７】
2006525903.tif 000009
【図８】
2006525903.tif 000010
【図９】
2006525903.tif 000011
【図１０】
2006525903.tif 000012
2006525903.tif 000013
2006525903.tif 000014
【図１２】
2006525903.tif 000015
2006525903.tif 000016
2006525903.tif 000017
2006525903.tif 000018
2006525903.tif 000019
【図１５】
2006525903.tif 000020
【国際調査報告】
2006525903.tif 000021
2006525903.tif 000022
2006525903.tif 000023
2006525903.tif 000024
2006525903.tif 000025
2006525903.tif 000026